(57)【要約】【課題】本発明は、一方の通信インターフェースを介してのデータの受信を確実に実行し、他方の通信インターフェースを介してのデータの送信をなるべく実行する通信装置を提供することを目的とする。【解決手段】上記課題を解決するために本発明にかかる通信装置は、放送を受信するチューナを有する受信機器から番組データを受信可能な第１の通信部と、外部機器と接続可能な第２の通信部と、受信機器において受信される画像データの自装置への送信の予約がされている時刻までの時間が所定時間以下である場合には、第２の通信部による前記外部機器との接続を禁止するよう前記第２の通信部を制御する制御部と、を備える。【選択図】図１
2013138289.tif 000002
【特許請求の範囲】
【請求項１】
放送を受信するチューナを有する受信機器から番組データを受信可能な第１の通信部と、
外部機器と接続可能な第２の通信部と、
前記受信機器において受信される画像データの自装置への送信の予約がされている時刻までの時間が所定時間以下である場合には、前記第２の通信部による前記外部機器との接続を禁止するよう前記第２の通信部を制御する制御部と、を備える、
通信装置。
【請求項２】
前記第２の通信部により前記外部機器と接続されている状態で、前記受信機器において受信される画像データの送信の予約がされている時刻までの時間が所定時間を下回った場合には、前記第２の通信部による前記外部機器との接続を解除する、
請求項１に記載の通信装置。
【発明の詳細な説明】
【技術分野】
【０００１】
本発明は通信装置に関し、特に、外部機器と無線で接続可能な通信装置に関する。
【背景技術】
【０００２】
特許文献１は通信端末を開示する。この通信端末は、有線通信インターフェースと無線通信インターフェースとを有する。この通信端末は、無線通信インターフェースを介して直接無線通信が可能かを他の通信端末に問い合わせる。問い合わせた結果、他の通信端末が直接無線通信が可能であると判断すると、この通信端末は、アクセスポイントを経由した無線通信である間接無線通信から直接無線通信に切り替える。
【０００３】
これにより、この通信端末は通信の信頼性を向上させることができる。
【先行技術文献】
【特許文献】
【０００４】
【特許文献１】特開２０１０−１３０７０２号公報
【発明の概要】
【発明が解決しようとする課題】
【０００５】
ところで、上記特許文献１に開示されている通信端末のように、１つの機器内に有線通信インターフェースと無線通信インターフェースといった２つの通信インターフェースを有している場合がある。この場合に、２つの通信インターフェースが排他的に制御されるような場合がある。この場合には、例えば、有線通信を行っている場合には無線通信を行えない。また、無線通信を行っている場合には有線通信を行えないといった場合がある。
【０００６】
このような場合に、外部機器が有するチューナで受信した番組データを、一方の通信インターフェースを介して受信する通信装置であって、他方の通信インターフェースを介して他の外部機器に対して番組データを送信する通信装置を考える。この通信装置は、一方の通信インターフェースを介して番組データの受信を行っている場合には、他方の通信インターフェースを介して番組データの送信を行えない。また、この通信装置は、一方の通信インターフェースを介して番組データの送信を行っている場合には、他方の通信インターフェースを介して番組データの受信を行えない。
【０００７】
本発明は、一方の通信インターフェースを介してのデータの受信を確実に実行し、他方の通信インターフェースを介してのデータの送信をなるべく実行する通信装置を提供することを目的とする。
【課題を解決するための手段】
【０００８】
上記課題を解決するために本発明にかかる通信装置は、放送を受信するチューナを有する受信機器から番組データを受信可能な第１の通信部と、外部機器と接続可能な第２の通信部と、受信機器において受信される画像データの自装置への送信の予約がされている時刻までの時間が所定時間以下である場合には、第２の通信部による前記外部機器との接続を禁止するよう前記第２の通信部を制御する制御部と、を備える。
【発明の効果】
【０００９】
本発明によれば、一方の通信インターフェースを介してのデータの受信を確実に実行し、他方の通信インターフェースを介してのデータの送信をなるべく実行する通信装置を提供できる。
【図面の簡単な説明】
【００１０】
【図１】システムの全体構成を示す模式図
【図２】レコーダ１００の構成を示すブロック図
【図３】スマートフォン２００の構成を示すブロック図
【図４】ＳＴＢ４００の構成を示すブロック図
【図５】Ｗｉ−Ｆｉ Ｄｉｒｅｃｔの接続動作を説明するためのフローチャート
【図６】無線直接接続手続中にテレビ３００に表示される画面を示す模式図
【図７】無線直接接続手続中にテレビ３００に表示される画面を示す模式図
【図８】無線直接接続手続中にテレビ３００に表示される画面を示す模式図
【発明を実施するための形態】
【００１１】
本発明をレコーダに適用した実施の形態１について図面を用いて説明する。
【００１２】
１．実施の形態１
１−１．概要
概要について図１を用いて説明する。図１は、本実施の形態にかかるレコーダ１００を含むシステム全体を示す模式図である。レコーダ１００は、テレビ３００とＨＤＭＩ（Ｈｉｇｈ Ｄｅｆｉｎｉｔｉｏｎ Ｍｕｌｔｉｍｅｄｉａ Ｉｎｔｅｒｆａｃｅ）ケーブルで接続されている。また、レコーダ１００は、ＳＴＢ４００と有線ＬＡＮで接続されている。ＳＴＢ４００は、番組放送（スカパーＨＤ（登録商標））を受信し、受信した番組放送に基づいて番組データを生成する。レコーダ１００は、ＳＴＢ４００が生成した番組データを有線ＬＡＮを介して受信する。レコーダ１００は、受信した番組データを内部のハードディスクに記録する。これにより、レコーダ１００は、ＳＴＢ４００で受信する有料放送を示す番組データの録画をすることができる。
【００１３】
また、レコーダ１００は、Ｗｉ−Ｆｉ Ｄｉｒｅｃｔ規格に準拠した方式によりスマートフォン２００と無線接続（以下、直接無線接続と称する）できる。Ｗｉ−Ｆｉ Ｄｉｒｅｃｔ規格とは、アクセスポイントを介さずに、無線で機器間の直接接続を実現する規格である。レコーダ１００は、スマートフォン２００と直接無線接続されている状態で、スマートフォン２００に対して内部のハードディスクに記憶している番組データを送信できる。スマートフォン２００は、レコーダ１００から番組データを受信し、受信した番組データを再生できる。これにより、スマートフォン２００は、レコーダ１００内に記憶されている番組データを再生できる。
【００１４】
一方、レコーダ１００は、有線ＬＡＮを介したＳＴＢ４００との接続か、スマートフォン２００との直接無線接続かの何れかの接続しか一時に実現できない。つまり、レコーダ１００は、有線ＬＡＮを介してＳＴＢ４００と接続している場合には、スマートフォン２００との直接無線接続を実現できない。また、＠レコーダ１００は、スマートフォン２００との直接無線接続を実現している場合には、ＳＴＢ４００との有線ＬＡＮを介した接続を実現できない。
【００１５】
レコーダ１００は、ＳＴＢ４００による番組放送の録画予約がされている場合に、予約されている番組の内部へのハードディスクへの記録を確実に実行し、かつ、スマートフォン２００との直接無線接続についての要求もなるべく受け入れられる。
【００１６】
以下、このような効果を実現するための一例の構成について詳細に説明する。
【００１７】
１−２．レコーダ１００の構成
レコーダ１００の構成について図２を用いて説明する。図２は、レコーダ１００の構成を示すブロック図である。レコーダ１００は、チューナ１１０により受信した番組放送に対して、マイコン１３０により各種処理を施すことによって番組データを生成し、生成した番組データをＨＤＤ１４０に記録する。レコーダ１００は、ＨＤＤ１４０に記憶している番組データをＨＤＭＩ１５０や無線通信モジュール１７０を介して外部機器に送信する。以下、各構成の詳細について説明する。
【００１８】
チューナ１１０は、アンテナを介して受信した電波のうち、使用者が選局しているチャンネルの電波を抽出する。チューナ１１０は、抽出した電波に基づいて、マイコン１３０が処理可能なデジタルデータを生成する。
【００１９】
リモコン受光部１２０は、リモコンから送信される赤外線またはＲＦ波に変調された制御信号を受信する。例えば、リモコン受光部１２０は、電源ＯＮ／ＯＦＦ、チャンネル切替、録画開始／停止等の制御信号を受信する。リモコン受光部１２０は、受信した制御信号をマイコン１３０が解釈できるデジタル信号に変換する。
【００２０】
マイコン１３０は、レコーダ１００全体を制御する制御モジュールである。マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。
【００２１】
ＨＤＤ１４０は、動画像データ等を記憶する記憶装置である。ＨＤＤ１４０は、チューナ１１０を介して受信した番組放送を示す番組データ等を記憶する。
【００２２】
ＨＤＭＩ１５０は、レコーダ１００とテレビ３００等の外部機器とを接続するインターフェースである。レコーダ１００は、ＨＤＭＩ１５０を介してＨＤＤ１４０に記憶されている番組放送が示す番組データ等を外部機器に対して出力する。
【００２３】
有線ＬＡＮモジュール１６０は、有線のＬＡＮケーブルを接続可能なインターフェースである。レコーダ１００は、有線ＬＡＮモジュール１６０を介してＳＴＢ４００と接続できる。
【００２４】
無線通信モジュール１７０は、無線ＬＡＮ通信可能な通信モジュールである。無線通信モジュール１７０は、無線ＬＡＮ通信の国際標準規格である「ＩＥＥＥ８０２．１１」規格に準拠している。無線通信モジュール１７０は、アクセスポイントを介して外部機器等とＩＰ（Ｉｎｔｅｒｎｅｔ Ｐｒｏｔｏｃｏｌ）により通信できる。また、無線通信モジュール１７０は、アクセスポイントを介さずに外部機器と直接無線接続できる。
【００２５】
１−３．スマートフォン２００の構成
スマートフォン２００の構成について図３を用いて説明する。図３は、スマートフォン２００の構成を示すブロック図である。スマートフォン２００は、モニタ２１０を介して使用者から指示を受け、無線通信モジュール２４０を介してレコーダ１００から番組データを受信する。スマートフォン２００は、受信した番組データをモニタ２１０に表示する。以下、各構成の詳細について説明する。
【００２６】
モニタ２１０は、画像を表示できる表示モニタである。モニタ２１０はタッチパネル機能を備えている。従って、使用者は、モニタ２１０を介して、スマートフォン２００の操作を行うことができる。
【００２７】
マイコン２２０は、スマートフォン２００内の各モジュールを制御する制御モジュールである。
【００２８】
フラッシュメモリ２３０は、スマートフォン２００全体を制御する制御プログラムや無線通信モジュール２４０を介して受信した番組データを記憶する記憶媒体である。
【００２９】
無線通信モジュール２４０は、無線ＬＡＮ通信可能な通信モジュールである。
【００３０】
１−４．ＳＴＢ４００の構成
ＳＴＢ４００の構成について図４を用いて説明する。図４は、ＳＴＢ４００の構成を示すブロック図である。ＳＴＢ４００は、チューナ４２０を介して番組放送を受信し、受信した番組放送に基づいて番組データを生成し、有線ＬＡＮモジュール４４０を介して生成した番組データをレコーダ１００に対して送信する。以下、各構成の詳細について説明する。
【００３１】
リモコン受光部４１０は、リモコンから送信される赤外線またはＲＦ波に変調された制御信号を受信する。
【００３２】
チューナ４２０は、アンテナを介して受信した電波のうち、使用者が選局しているチャンネルの電波を抽出する。チューナ４２０は、抽出した電波に基づいて、マイコン４３０が処理可能なデジタルデータを生成する。
【００３３】
マイコン４３０は、ＳＴＢ４００内の各モジュールを制御する制御モジュールである。
【００３４】
有線ＬＡＮモジュール４４０は、有線のＬＡＮケーブルを接続可能なインターフェースである。ＳＴＢ４００は、有線ＬＡＮモジュール４４０を介してレコーダ１００と接続できる。
【００３５】
１−５．無線直接接続における接続動作
次に、レコーダ１００におけるスマートフォン２００との無線直接接続における接続動作について図５〜８を用いて説明する。図５は、無線直接接続における接続動作を説明するためのフローチャートである。図６〜図８は、無線直接接続手続中にテレビ３００に表示される画面を示す模式図である。
【００３６】
使用者から無線直接接続の指示を受け付けると（Ｓ１００）、マイコン１３０は、内部のメモリに記憶している録画予約情報、及び内部の時計情報を参照することで、これから３時間以内にＳＴＢ４００から番組データを受信するような録画予約がされているか否かを判断する（Ｓ１１０）。
【００３７】
３時間以内にＳＴＢ４００から番組データを受信する録画予約があると判断すると、マイコン１３０は、図６に示すような画面を出力するようＨＤＭＩ１５０を制御する（Ｓ１２０）。つまり、レコーダ１００は、無線直接接続を実行できない旨を使用者に伝える。
【００３８】
一方、３時間以内にＳＴＢ４００から番組データを受信する録画予約がないと判断すると、マイコン１３０は、スマートフォン２００等との無線通信モジュール１７０を介した無線直接接続処理を実行する（Ｓ１３０）。スマートフォン２００等との無線直接接続が完了すると、マイコン１３０は、ＳＴＢ４００から番組データを受信する録画予約がされている時刻まで５分を下回っていないかを判断する（Ｓ１４０）。
【００３９】
５分を下回っていると判断すると、マイコン１３０は、図７に示すような画面を出力するようＨＤＭＩ１５０を制御する（Ｓ１５０）。つまり、レコーダ１００は、ＳＴＢ４００から受信する番組データの記録をあと５分で開始する旨を使用者に伝える。
【００４０】
図７に示すような画面を出力するようＨＤＭＩ１５０を制御すると、マイコン１３０は、ＳＴＢ４００から番組データを受信する録画予約がされている時刻まで３分を下回っていないかを判断する（Ｓ１６０）。
【００４１】
３分を下回っていると判断すると、マイコン１３０は、無線通信モジュール１７０を介したスマートフォン２００等との無線直接接続を強制的に切断する（Ｓ１７０）。この場合には、マイコン１３０は、図８に示すような画面を出力するようＨＤＭＩ１５０を制御する。
【００４２】
無線直接接続を強制的に切断すると、マイコン１３０は、有線ＬＡＮモジュール１６０を介したＳＴＢ４００との接続を確立し、ＳＴＢ４００からの番組データの受信に備える（Ｓ１８０）。
【００４３】
このように、本実施の形態にかかるレコーダ１００は、ＳＴＢ４００において受信される番組データの自装置への送信の予約がされている時刻までの時間が３時間以下である場合には、無線通信モジュール１７０によるスマートフォン２００等の外部機器との無線直接接続を禁止している。これにより、ＳＴＢ４００において受信される番組データの録画予約がされている場合に、スマートフォン２００等の外部機器との無線直接接続がされているために、使用者が録画予約していた番組データの録画がされないようなリスクを低減できる。
【００４４】
また、本実施の形態にかかるレコーダ１００は、無線通信モジュール１７０によりスマートフォン２００等の外部機器と接続されている状態で、ＳＴＢ４００において受信される画像データの予約がされている時刻までの時間が３分を下回った場合には、無線通信モジュール１７０によるスマートフォン２００等との無線直接接続を解除する。これにより、既に無線直接接続がされているような場合であっても、録画予約されているＳＴＢ４００において受信される番組データの録画を失敗してしまうリスクを低減できる。
【００４５】
２．他の実施の形態
以上、実施の形態１について説明したが、本発明はこれに限定されない。本発明は、他にも様々な変形例に適用できる。ここでは様々な変形例の一部について説明する。
【００４６】
実施の形態１においては、第１の通信部の一例として有線ＬＡＮモジュール１６０を開示した。しかしながら、必ずしもこれに限定されない。例えば、第１の通信部が無線通信モジュールであってもよい。要は、他機器と通信可能な通信部であればよい。
【００４７】
また、実施の形態１においては、第２の通信部の一例として無線通信モジュール１７０を開示した。しかしながら、必ずしもこれに限定されない。例えば、第２の通信部が有線ＬＡＮモジュールであってもよい。要は、他機器と通信可能な通信部であればよい。
【００４８】
また、実施の形態１においては、第１の通信部と第２の通信部とを別々のモジュールで実現した。しかしながら、必ずしもこれに限定されない。例えば、第１の通信部と第２の通信部とを１つの通信モジュールで実現してもよい。この場合には、ソフト的に２種類の通信を使い分ける。
【産業上の利用可能性】
【００４９】
本発明はＢＤレコーダ、ハードディスクレコーダ、パーソナルコンピュータ等の通信機能を有する装置に適用できる。
【符号の説明】
【００５０】
１００  レコーダ
１１０  チューナ
１２０  リモコン受光部
１３０  マイコン
１４０  ＨＤＤ
１５０  ＨＤＭＩ
１６０  有線ＬＡＮモジュール
１７０  無線通信モジュール
２００  スマートフォン
２１０  モニタ
２２０  マイコン
２３０  フラッシュメモリ
２４０  無線通信モジュール
３００  テレビ
４００  ＳＴＢ
４１０  リモコン受光部
４２０  チューナ
４３０  マイコン
４４０  有線ＬＡＮモジュール
【図１】
2013138289.tif 000003
【図２】
2013138289.tif 000004
【図３】
2013138289.tif 000005
【図４】
2013138289.tif 000006
【図５】
2013138289.tif 000007
【図６】
2013138289.tif 000008
【図７】
2013138289.tif 000009
【図８】
2013138289.tif 000010